(57)【要約】【課題】記録媒体を駆動する駆動機構部２１の奥にアンプ２７等を有する電気系統部２４が配置され、この電気系統部２４で生じる熱をファン２９によって装置外部に放出する構造の記録再生装置において、ファン２９の影響による駆動機構部２１での埃の堆積を低減し、装置の長寿命化を図る。【解決手段】装置内部に隔壁３１を設けて駆動機構部２１と電気系統部２４とを仕切り、ファン２９による装置内部での空気の対流が駆動機構部２１に及ばない構造とする。さらにこの構造では、装置内部に空気を取り込むための通気孔３２を電気系統部２４側に設ける。【選択図】  図７
2004318955.tif 000002
【特許請求の範囲】
【請求項１】
記録媒体を駆動する駆動機構部の奥にアンプ等を有する電気系統部が配置され、この電気系統部で生じる熱をファンによって装置外部に放出する構造の記録再生装置において、
装置内部に隔壁を設けて上記駆動機構部と上記電気系統部とを仕切り、上記ファンの駆動による装置内部での空気の流れが上記駆動機構部に及ばない構造としたことを特徴とする記録再生装置。
【請求項２】
装置内部に空気を取り込むための通気孔を上記電気系統部側に設けたことを特徴とする請求項１に記載の記録再生装置。
【請求項３】
上記隔壁が電気回路基板を支える取付板を兼用する構造としたことを特徴とする請求項１に記載の記録再生装置。
【発明の詳細な説明】
【０００１】
【発明の属する技術分野】
本発明は記録再生装置に関し、特に冷却用のファンを備えた記録再生装置において、ファンの影響による駆動機構部へ埃の侵入を効果的に抑える構造に係るものである。
【０００２】
【従来の技術】
一般に記録再生装置として例えばカセットデッキでは、装置の前面側に記録媒体であるテープカセットを装着しこれを駆動する駆動機構部が配置され、その奥に電源トランスやアンプ等を有する電気系統部が配置されている。この場合、電気系統部では電源トランスやアンプから熱が発生するので、これを冷却するため装置背面側にファンを設置し、このファンによって熱気を装置外部に放出するようにしたものがある。
【０００３】
このようにファンを用いて装置内部から熱を放出するようにした記録再生装置としては、従来下記の特許文献１に開示されるようなものがある。
【特許文献１】
特開平１１−０６６８３４号公報
【０００４】
【発明が解決しようとする課題】
このような記録再生装置においては、ファンによって熱気を装置外部に放出すると同時に外部から空気を吸い込んでおり、このとき空気中の埃も一緒に吸い込んでしまい、その埃が記録媒体を駆動する駆動機構部に侵入して堆積するとこの駆動機構部で動作不良を起こし、装置が短期で故障する原因となっていた。
本発明はこのような問題点に鑑みてなされたもので、ファンの影響による駆動機構部での埃の堆積を低減し、装置の長寿命化を図ることを目的とする。
【０００５】
【課題を解決するための手段】
上記の目的を達成するために本発明は、
記録媒体を駆動する駆動機構部の奥にアンプ等を有する電気系統部が配置され、この電気系統部で生じる熱をファンによって装置外部に放出する構造の記録再生装置において、
装置内部に隔壁を設けて駆動機構部と電気系統部とを仕切り、ファンの駆動による装置内部での空気の流れが駆動機構部に及ばない構造としたものである。
【０００６】
このような構造とすることにより、ファンの影響による駆動機構部への埃の侵入が効果的に抑えられるので、駆動機構部における埃の堆積が低減し、その結果装置の長寿命化を図ることができる。
【０００７】
【発明の実施の形態】
以下、図面を参照しながら本発明の実施例について詳細に説明する。
図１と図２は記録再生装置としてカセットデッキを示し、図１はこのカセットデッキの全体図、図２はその前面の主要部を示す図である。
このカセットデッキ１は所謂ダブルカセットデッキで、即ちこのカセットデッキ１は図２に示す如く、外筐２の前面に取り付けられた前面パネル３の左右に第１及び第２のカセット装着部４，５を有し、この第１及び第２のカセット装着部４，５に夫々記録媒体であるテープカセットが装着されて記録または再生が行なわれるものである。
【０００８】
このカセットデッキ１には、第１及び第２のカセット装着部４，５に確実にテープカセットを装着するための第１及び第２のホルダー６，７が設けられている。これらのホルダー６，７は何れもその下端部を支点として前面パネル３に対し前後方向に回動可能に取り付けられており、このホルダー６，７が前方の開き位置にある状態で上方からテープカセットが挿入保持され、その状態でこのホルダー６，７を閉じ位置まで回動させることによってテープカセットがカセット装着部４，５に装着される。
【０００９】
ここで第１及び第２のホルダー６，７は図には表れていないスプリングの力によって常に開き方向に付勢されており、閉じ位置（テープカセットがカセット装着部に装着される位置）では後述するホルダーロック部材によってロックされ、このロックは前面のイジェクト釦１５，１６を押すことによって解除される構造となっている。
【００１０】
さらにこのカセットデッキ１には、第１及び第２のカセット装着部４，５を開閉する表蓋８が最前面に設けられている。この表蓋８は第１及び第２のホルダー６，７を共通に覆う１枚の蓋であり、その下端部を支点として前面パネル３に対し前後方向に回動可能に取り付けられている。
【００１１】
ここで表蓋８は図には表われていないスプリングの力によって常に閉じ方向に付勢されているが、この表蓋８を閉じ方向へ付勢するスプリングの力よりも上述した第１及び第２のホルダー６，７を開き方向へ付勢するスプリングの力の方が強く設定されている。従ってこの構成では、ホルダー６，７が開くとこのホルダー６，７で表蓋８が押されて開くようになっており、この表蓋８が開いた状態から表蓋８を手で押して閉じることによってこれに押されてホルダー６，７が閉じられる如く動作する。
【００１２】
この表蓋８が閉じた状態では、表蓋８は後述する蓋ロック部材によってロックされ、この表蓋８のロックはイジェクト釦１５，１６を押すことによってホルダー６，７のロックと共に解除される構造となっている。
【００１３】
上述の如く構成されるカセットデッキ１において、第１及び第２のホルダー６，７と表蓋８をロックし、これを解除するイジェクト機構の構成を図３〜図６に示す。
【００１４】
先ず、第１及び第２のホルダー６，７と表蓋８を夫々閉じ位置でロックするロック機構部９の構成を説明する。このロック機構部９は図３に示す如く、３つのロック部材、即ち第１及び第２のホルダー６，７を夫々ロックする第１及び第２のホルダーロック部材１０，１１と、表蓋８をロックする蓋ロック部材１２と、を有して構成される。
このロック機構部９では、蓋ロック部材１２を挟んで左右に第１のホルダーロック部材１０と第２のホルダーロック部材１１が配置され、この３つのロック部材がハウジング１３内に組み込まれてユニット化されている。尚、このロック機構部９のユニットは前面パネル３に組み込まれ、螺子止め等によって固定されるものである。
【００１５】
ハウジング１３内において第１及び第２のホルダーロック部材１０，１１と蓋ロック部材１２は夫々上下方向に移動可能となされており、第１及び第２のホルダー６，７が閉じた状態では第１及び第２のホルダーロック部材１０，１１の下端の係合爪部１０ａ，１１ａが夫々第１及び第２のホルダー６，７の上端部に設けられた係合部６ａ，７ａに引掛るように係合してこれをロックし、また表蓋８が閉じた状態では蓋ロック部材１２の下端の係合爪部１２ａが表蓋８の上端部裏面側に突設された係合片８ａの孔部８ｂに係合してこれをロックする構造となっている。
【００１６】
ここで各ロック部材１０，１１と１２はＰＯＭ等の樹脂材によりなるもので、夫々をロック方向に付勢するための弾性腕部が一体に成形されている。即ち図３及び図６に示す如く、ホルダーロック部材１０，１１にはその上端部の左右両側から弾性腕部１０ｅと１０ｆ，１１ｅと１１ｆが一体に延設されており、この弾性腕部１０ｅと１０ｆ，１１ｅと１１ｆの先端がハウジング１３の上面部に当接し、その撓みによる弾性（ばね性）によってホルダーロック部材１０，１１は常にホルダー６，７に係合するロック方向に付勢されている。また蓋ロック部材１２もこれと同様にその上端部の左右両側から弾性腕部１２ｅと１２ｆが一体に延設されており、この弾性腕部１２ｅと１２ｆの先端がハウジング１３の上面部に当接し、その撓みによる弾性によって蓋ロック部材１２は常に表蓋８の係合片８ａの孔部８ｂに係合するロック方向に付勢されている。
【００１７】
そしてこのロック機構部９におけるロックは、２つのイジェクト釦、即ち第１及び第２のイジェクト釦１５，１６によって解除される構造となっている。
これらのイジェクト釦１５，１６は前面パネル３に前後方向に移動可能に組み込まれ、夫々その裏面側に突出形成された押圧突片１５ａ，１６ａによってホルダーロック部材１０，１１を直接押圧操作するものである。即ちホルダーロック部材１０，１１の前面にはイジェクト釦１５，１６の押圧突片１５ａ，１６ａに対応して傾斜面状の被押圧部１０ｃ，１１ｃが形成されており、この部分をイジェクト釦１５，１６で押圧することによってロック解除動作が行なわれる。
【００１８】
この場合、図５（Ａ）に示す如くイジェクト釦１５，１６を押し込むと、そのイジェクト釦１５，１６の押圧突片１５ａ，１６ａの先端傾斜縁部がホルダーロック部材１０，１１の被押圧部１０ｃ，１１ｃの傾斜面を押圧し、これによって図５（Ｂ）の如くホルダーロック部材１０，１１は弾性腕部１０ｅと１０ｆ，１１ｅと１１ｆの力に抗して上方に移動して係合爪部１０ａ，１１ａがホルダー６，７の係合部６ａ，７ａから外れ、その結果ホルダー６，７のロックが解除される。
【００１９】
ここで本例の機構では、このホルダーロック部材１０，１１のロック解除動作と同時に蓋ロック部材１２のロック解除動作が行なわれる構造となっている。
即ち、図６に示す如くイジェクト釦の裏面側にはホルダーロック部材を押圧する押圧突片１５ａ，１６ａの内側に並行して押圧突片１５ｂ，１６ｂが形成されており、これに対応して蓋ロック部材１２の前面には傾斜面状の被押圧部１２ｇ，１２ｉが形成されている。そしてイジェクト釦１５，１６を押すと押圧突片１５ｂ，１６ｂが蓋ロック部材１２の被押圧部１２ｇ，１２ｉを押圧し、これによって蓋ロック部材１２は弾性腕部１２ｅと１２ｆの力に抗して上方に移動して係合爪部１２ａが係合片８ａの孔部８ｂから外れ、その結果表蓋８のロックが解除される如く動作する。
【００２０】
以上の構成で明らかな如く本例のイジェクト機構は、第１のイジェクト釦１５によって第１のホルダーロック部材１０と蓋ロック部材１２を同時に直接押圧操作し、また第２のイジェクト釦１６によって第２のホルダーロック部材１１と蓋ロック部材１２を同時に直接押圧操作する構造に特徴を有するものである。
【００２１】
即ち、第１のイジェクト釦１５を押した場合は、この第１のイジェクト釦１５の押圧突片１５ａ，１５ｂが第１のホルダーロック部材１０の被押圧部１０ｃと蓋ロック部材１２の被押圧部１２ｇを直接押圧し、これによって図４（Ａ）に示す如く第１のホルダーロック部材１０と蓋ロック部材１２が同時に上方に移動されて第１のホルダー６のロックと表蓋８のロックが同時に解除される。そしてこのように第１のホルダー６のロックと表蓋８のロックが同時に解除されることにより、第１のホルダー６と表蓋８が一体に開くようにイジェクト動作が行なわれる。
【００２２】
また第２のイジェクト釦１６を押した場合は、この第２のイジェクト釦１６の押圧突片１６ａ，１６ｂが第２のホルダーロック部材１１の被押圧部１１ｃと蓋ロック部材１２の被押圧部１２ｉを直接押圧し、これによって図４（Ｂ）に示す如く第２のホルダーロック部材１１と蓋ロック部材１２が同時に上方に移動されて第２のホルダー７のロックと表蓋８のロックが同時に解除される。そしてこのように第２のホルダー７のロックと表蓋８のロックが同時に解除されることにより、第２のホルダー７と表蓋８が一体に開くようにイジェクト動作が行なわれる。
【００２３】
このように本例のイジェクト機構は、第１のイジェクト釦１５によって第１のホルダーロック部材１０と蓋ロック部材１２を直接押圧して第１のホルダー６と表蓋８のロックを同時に解除し、また第２のイジェクト釦１６によって第２のホルダーロック部材１１と蓋ロック部材１２を直接押圧して第２のホルダー７と表蓋８のロックを同時に解除する構成としたことにより、夫々のイジェクト動作においてホルダー６，７と表蓋８の開くタイミングにずれが生じることはなく、スムーズなイジェクト動作が行なわれるものである。
【００２４】
尚、この機構においては、イジェクト釦１５，１６に突設される押圧突片１５ａと１５ｂ，１６ａと１６ｂの長さを変えることにより、ホルダー６，７と表蓋８の開くタイミングを任意に設定することができる。
【００２５】
またこの機構では、ホルダーロック部材１０，１１と蓋ロック部材１２に夫々をロック方向に付勢するための弾性腕部１０ｅと１０ｆ，１１ｅと１１ｆ，１２ｅと１２ｆを一体に成形した構造により、コストダウン及び生産性の向上を図ることができる。即ち、この機構において従来はホルダーロック部材１０，１１と蓋ロック部材１２を夫々ロック方向に付勢するために３本のスプリングを必要としていたが、本例の機構ではホルダーロック部材１０，１１と蓋ロック部材１２に夫々弾性腕部１０ｅと１０ｆ，１１ｅと１１ｆ，１２ｅと１２ｆを一体に成形してスプリングに置き換えた構造としたので、スプリングが不要となった分だけ部品点数を削減でき、またスプリングを装着する作業が不要となるため組立工数も削減され、その結果コストダウンが可能となると共に、生産性の向上にも繋がる。
【００２６】
次に、図７及び図８を参照して本例のカセットデッキの内部構造について説明する。この図７及び図８は、図１に示すカセットデッキ１において筐体２の上カバー２ａを取り外した状態を示すものである。
【００２７】
このカセットデッキ１の内部において先ず前面パネル３の裏側には、第１及び第２のカセット装着部４，５に装着されるテープカセットを駆動する駆動機構部２１が設けられている。この駆動機構部２１は、駆動源であるモーター２２及びこのモーター２２の駆動力によってテープを走行させる機構部品をユニット化した駆動機構ユニット２３が前面パネル３の裏面側に取り付けられて構成される。
【００２８】
さらにこのカセットデッキ１の内部には、駆動機構部２１の奥に電気系統部２４が配置されている。この電気系統部２４は、電源トランス２５、電気回路基板２６、アンプ（ＩＣ）２７などの電気系統部品によって構成され、これらの各部品が筐体２のベースシャーシ２ｂ上の所定箇所に配置固定されてなるものである。尚、ここでアンプ２７は放熱用のヒートシンク２８上に固定されている。
【００２９】
この電気系統部２４においては、電源トランス２５やアンプ２７から熱が発生するので、これを冷却するための手段として本例のカセットデッキ１では背面側にファン２９が設置されている。このファン２９は筐体２の背面板２ｃの内面側に取り付けられており、このファン２９が回転駆動することで背面板２ｃの排気口３０からカセットデッキ内部の熱気が外部に放出され、これによって電気系統部２４が冷却される。
【００３０】
そして特に本例のカセットデッキ１においては、その内部の駆動機構部２１と電気系統部２４との間に隔壁３１が設けられており、この隔壁３１によって前方の駆動機構部２１とその後方の電気系統部２４とが仕切られた構造となっている。
【００３１】
この隔壁３１は樹脂材によりなる１枚の大きな板体であり、これが筐体２のベースシャーシ２ｂに垂直に立設されている。そしてベースシャーシ２ｂに上カバー２ａを被せた状態では、この隔壁３１の外周部が上カバーの内面側にほぼ隙間なく接し、これによって駆動機構部２１と電気系統部２４とが密閉状態で完全に仕切られた構造となる。尚、この隔壁３１の後面側に凸出している部分３１ａは、駆動機構部２１のモーター２２に対する逃げ部である。
【００３２】
このように本例のカセットデッキ１では、その内部に隔壁３１を設けて前方の駆動機構部２１と後方の電気系統部２４とを仕切った構造としたことにより、ファン２９の駆動によるカセットデッキ内部での空気の流れが駆動機構部２１に及ぶことはない。従ってファン２９の影響による駆動機構部２１への埃の侵入が抑えられるので、駆動機構部２１における埃の堆積が低減し、その結果駆動機構ユニット２３の寿命が長くなる効果がある。
【００３３】
この効果をさらに確実なものとするために本例のカセットデッキ１では、内部に空気を取り込むための通気孔３２を隔壁３１より後方の電気系統部２４側に設けてある。この通気孔３２は電源トランス２５やアンプ２７などの熱源の近辺においてベースシャーシ２ｂに形成されており、この通気孔３２から冷たい空気を取り入れてファン２９から放出するようにカセットデッキ内部での空気の流れを作ることによって効率的に電気系統部２４を冷却することができる。そしてこの通気孔３２が電気系統部２４側に設けられていることにより、カセットデッキ内部での空気の流れは完全に電気系統部２４内に限定されるので、ファン２９の影響による駆動機構部２１への埃の侵入が一段と確実に抑えられ、さらなる長寿命化が可能となるものである。
【００３４】
またこのカセットデッキ１では、２つのカセット装着部４，５に対し表蓋８を共通の１枚蓋としたことにより、カセットデッキ１の前面側からの埃の侵入が最小限に抑えられる。即ち一般のダブルカセットデッキでは、２つのカセット装着部に対し夫々１枚ずつ独立した２枚の表蓋が設けられており、この場合は表蓋と前面パネルとの間の隙間が２枚分あるためその隙間から駆動機構部に埃が入り易いが、本例のカセットデッキ１では表蓋８を共通の１枚としたことにより前面パネル３との間の隙間が少なくなるので、その隙間から駆動機構部２１に侵入する埃を最小限に抑えることができる。
【００３５】
さらにこのカセットデッキ１においては、図９に示す如く、隔壁３１が電気回路基板３３を支える取付板を兼用する構造を有している。即ちここでは、隔壁３１の上端に設けられた支持部３１ｂと背面板２ｃの上端部内面側に固定されたコネクター部材３４との間に架け渡されるように電気回路基板３３が取り付けられている。この場合、電気回路基板３３は隔壁３１に対しては螺子によって固定され、コネクター部材３４に対しては端子に半田付けによって固定される。
【００３６】
このように隔壁３１によって電気回路基板３３を支える構造としたことにより、従来必要とされていた電気回路基板を支えるための取付板が不要となる。これにより、隔壁３１を設けたことによるコストが相殺され、コスト的に従来と殆ど変わることなくカセットデッキの長寿命化を図ることができるものである。
【００３７】
以上、本発明の実施例としてカセットデッキを例示して説明したが、本発明はカセットデッキに限ることなく他にも例えばディスクプレーヤー等、各種の記録再生装置に幅広く適用することができる。
【００３８】
【発明の効果】
以上の実施例の説明で明らかな如く本発明の請求項１に係る発明では、記録媒体を駆動する駆動機構部の奥にアンプ等を有する電気系統部が配置され、この電気系統部で生じる熱をファンによって装置外部に放出する構造の記録再生装置において、装置内部に隔壁を設けて駆動機構部と電気系統部とを仕切り、ファンの駆動による装置内部での空気の流れが駆動機構部に及ばない構造としたことにより、駆動機構部への埃の侵入が効果的に抑えられるので、駆動機構部における埃の堆積が低減し、その結果装置の長寿命化を図ることができる効果がある。
【００３９】
さらに本発明の請求項２に係る発明では、装置内部に空気を取り込むための通気孔を電気系統部側に設けたことにより、装置内部での空気の流れが完全に電気系統部内に限定されるので、ファンの影響による駆動機構部への埃の侵入が一段と確実に抑えられ、装置のさらなる長寿命化が可能となる効果がある。
【００４０】
また本発明の請求項３に係る発明では、隔壁が電気回路基板を支える取付板を兼用する構造としたことにより、従来必要とされていた取付板が不要となるので、コスト的に従来と殆ど変わることなく装置の長寿命化を図ることができる効果がある。
【図面の簡単な説明】
【図１】記録再生装置の一例を示すカセットデッキ（ダブルカセットデッキ）の斜視図である。
【図２】同、前面部の斜視図で、第１のホルダーと表蓋が開いた状態である。
【図３】同、イジェクト機構の構成を示す正面図である。
【図４】同、イジェクト動作を説明する正面図で、（Ａ）は第１のホルダーのロックと表蓋のロックが解除された状態、（Ｂ）は第２のホルダーのロックと表蓋のロックが解除された状態である。
【図５】同、イジェクト動作を説明する側面図で、（Ａ）はホルダーがロックされた状態、（Ｂ）はロックが解除された状態である。
【図６】同、構成部品の斜視図である。
【図７】本発明の実施例を示す斜視図で、カセットデッキの内部構造を示すものである。
【図８】同、後方から見た斜視図である。
【図９】同、上部基板が取り付けられた状態である。
【符号の説明】
１・・・・カセットデッキ（記録再生装置）、２１・・・・駆動機構部、２２・・・・モーター、２３・・・・駆動機構ユニット、２４・・・・電気系統部、２５・・・・電源トランス、２７・・・・アンプ、２９・・・・ファン、３１・・・・隔壁、３２・・・・通気孔、３３・・・・電気回路基板
【図１】
2004318955.tif 000003
【図２】
2004318955.tif 000004
【図３】
2004318955.tif 000005
【図４】
2004318955.tif 000006
【図５】
2004318955.tif 000007
【図６】
2004318955.tif 000008
【図７】
2004318955.tif 000009
【図８】
2004318955.tif 000010
【図９】
2004318955.tif 000011